(57)【要約】      （修正有）【課題】特別な工具を使用することなく手指により簡易に濾過エレメントを交換することができるとともに、交換時に液体が外部に漏出することがない新規なストレーナの提供。【解決手段】流体が流入する供給ポート２ａと、流入した流体が排出される排出ポート２ｂと、供給ポートから排出ポートに至る中途部に形成され先端に開口が形成された分岐部２ｃと、この分岐部内に配置され上記供給ポートから排出ポートに至る流体を濾過する濾過エレメント４とを備えた中空状のストレーナ本体２と、分岐部に着脱自在に配置され開口を閉塞する蓋体３と、を備え、分岐部には一方のネジ２ｆが螺刻され、蓋体は、開口を閉塞する蓋部３ａと、一方のネジ２ｆに螺着される他方のネジ３ｅが外周面に螺刻されてなるとともに濾過エレメントの一端が収容される軸部３ｂを有し、蓋部３ａには、蓋体３を螺進させることにより分岐部２ｃの端面２ｇに当接するＯリング５が配置されてなる。【選択図】図１
2007296490.tif 000002
【特許請求の範囲】
【請求項１】
流体が流入する供給ポートと、この供給ポートから流入した流体が排出される排出ポートと、上記供給ポートから排出ポートに至る中途部に形成され先端には開口が形成された分岐部と、この分岐部内に配置され上記供給ポートから排出ポートに至る流体を濾過する濾過エレメントと、を備えた中空状のストレーナ本体と、上記分岐部に着脱自在に配置され上記開口を閉塞する蓋体と、を備え、
上記分岐部の先端側内周面には、一方のネジが螺刻され、上記蓋体は、上記開口を閉塞する蓋部と、上記一方のネジに螺着される他方のネジが外周面に螺刻されてなるとともに上記濾過エレメントの一端が収容されてなる軸部とを有し、上記蓋部には、蓋体を螺進させることにより上記分岐部の端面に当接するＯリングが配置されてなることを特徴とするストレーナ。
【請求項２】
前記蓋部には、前記分岐部の外径に等しい外径となされたフランジ部と、回動操作部と、上記フランジ部に形成された円環状の凹部と、が形成され、前記Ｏリングは、この凹部内に収容されてなることを特徴とする請求項１記載のストレーナ。
【発明の詳細な説明】
【技術分野】
【０００１】
本発明は、例えば、飲料，薬液，工業用水，工業排水或いは下水又は海水等の液体に含まれたゴミや土砂又はスラッジ等の異物を除去するために使用されるストレーナに関するものである。
【背景技術】
【０００２】
従来、液体に含まれた異物を除去するために使用されるストレーナとしては、ストレーナ本体に形成された流入ポートと流出ポートとの間に、濾過エレメントを収容する分岐部を形成したタイプのものが使用されている。こうしたタイプのストレーナでは、上記ストレーナ本体に形成された流入ポートから流入した液体は、上記分岐部内に流入することにより上記濾過エレメントを通過して流出ポートから流出される。したがって、上記液体内に異物が混入している場合には、この濾過エレメントにより捕捉され流出ポート側に移動しない。また、上記分岐部は、上記濾過エレメントが収容される部位と連通した開口が形成されているとともに、該分岐部の先端側内周面には一方のネジが螺刻されている。そして、上記分岐部の開口は、蓋体により閉塞されている。この蓋体は、略円盤状の蓋部と、上記一方のネジに螺合される他方のネジが螺刻された軸部とが形成され、上記蓋部には、工具により回動操作される回動操作部が形成されている。また、上記軸部の内側には、上記濾過エレメントの一端を保持する保持部が形成されている。したがって、作業者が上記濾過エレメントを交換する場合には、工具を用いて上記蓋体を回動操作し、ストレーナ本体から該蓋体を取り外し、該蓋体に支持された濾過エレメントを交換し、再び上記工具を使用することにより、上記分岐部に形成された開口を閉塞する。
【発明の開示】
【発明が解決しようとする課題】
【０００３】
しかしながら、従来のストレーナでは、上述した通り、濾過エレメントを交換する際には、必ず工具を使用しなければならず、工具を使用しない場合には、液体が上記分岐部の開口から外部に漏出する危険性がある。しかし、こうしたストレーナが使用されているプラント，装置或いは機械器具の中には、液体の圧力も高くないものも多く、上記工具を使用することなく、作業者が手指を用いて上記濾過エレメントを簡易に交換したい要望も多い。
【０００４】
そこで、本発明は、上述した従来のストレーナが有する課題を解決するために提案されえたものであって、作業者が特別な工具を使用することなく手指により簡易に濾過エレメントを交換することができるとともに、手指で交換した場合であっても液体が外部に漏出することがない新規なストレーナを提供することを目的とするものである。
【課題を解決するための手段】
【０００５】
上述した目的を達成するため、第１の発明（請求項１記載の発明）は、流体が流入する供給ポートと、この供給ポートから流入した流体が排出される排出ポートと、上記供給ポートから排出ポートに至る中途部に形成され先端には開口が形成された分岐部と、この分岐部内に配置され上記供給ポートから排出ポートに至る流体を濾過する濾過エレメントと、を備えた中空状のストレーナ本体と、上記分岐部に着脱自在に配置され上記開口を閉塞する蓋体と、を備え、上記分岐部の先端側内周面には、一方のネジに螺着される他方のネジが螺刻され、上記蓋体は、上記開口を閉塞する蓋部と、上記一方のネジが外周面に螺刻されてなるとともに上記濾過エレメントの一端が収容されてなる軸部とを有し、上記蓋部には、蓋体を螺進させることにより上記分岐部の端面に当接するＯリングが配置されてなることを特徴とするものである。
【０００６】
上記第１の発明では、上記蓋体を手指で回動操作することにより、ストレーナ本体から蓋体を取り外し、濾過エレメントを交換した後に、再び手指により上記蓋体を回動操作すし螺進して行くと、上記Ｏリングが分岐部の先端面に当接し、さらに螺進させることにより、該Ｏリングが分岐部の先端面に密着する。したがって、ストレーナ本体内に流体が流通した場合であっても該流体が外部に漏出することがない。
【０００７】
なお、この第１の発明を構成するＯリングの素材は、ゴムや樹脂等を使用するができるが、例えば、ニトリルゴム，フッ素ゴム等のように比較的弾力性が高い軟質な素材を選定することが好ましい。
【０００８】
また、第２の発明（請求項２記載の発明）は、上記第１の発明において、前記蓋部には、前記分岐部の外径に等しい外径となされたフランジ部と、回動操作部と、上記フランジ部に形成された円環状の凹部と、が形成され、前記Ｏリングは、この凹部内に収容されてなることを特徴とするものである。
【０００９】
この第２の発明では、上記Ｏリングが円環状の凹部内に収容されていることから、Ｏリングを正確に位置決めすることができ、また該Ｏリングが多少劣化した場合であっても蓋体から脱落することがなく、シール効果を維持することができる。
【発明の効果】
【００１０】
上記第１の発明（請求項１記載の発明）では、蓋部には、蓋体を螺進させることにより分岐部の端面に当接するＯリングが配置されてなることから、特別な工具を使用することなく、作業者が手指のみで蓋体を螺進させ分岐部に形成された開口を閉塞した場合であっても、ストレーナ本体の内部に流入した流体が外部に漏出することがない。したがって、この発明によれば、作業者が濾過エレメントを交換する際に、必ず工具を携帯する必要性はなく、従来のストレーナに比べて約１／１０程度の力で液体の漏れがない状態で蓋体を締め付けることができ、極めて簡易且つ迅速に濾過エレメントを交換することが可能となる。
【００１１】
また、第２の発明（請求項２記載の発明）では、フランジ部に形成された円環状の凹部に前記Ｏリングが収容されてなることから、Ｏリングを正確に位置決めすることができ、また該Ｏリングが多少劣化した場合であっても蓋体から脱落することがなく、シール効果を維持することができる。
【発明を実施するための最良の形態】
【００１２】
以下、本発明を実施するための最良の形態を、図面を参照しながら詳細に説明する。
【００１３】
この実施の形態に係るストレーナ１は、図１に示すように、ストレーナ本体２と、蓋体３とから構成されている。上記ストレーナ本体２は、図示しない鉄を鋳型により鋳造した上で切削加工することにより成形したものであり、一端には、図示しない液体が流入する流入ポート２ａが形成されており、他端には、上記流入ポート２ａから流入した液体が外部に流出する流出ポート２ｂが形成されており、内部は中空とされている。なお、上記流入ポート２ａは、図示しない管体と接続される部位であり、また、上記流出ポート２ｂも図示しない管体と接続される部位である。そして、これら各流入ポート２ａと流出ポート２ｂの内周面には、それぞれ上記管体に連結するためのネジ（符号は省略する。）が螺刻されている
【００１４】
そして、上記流入ポート２ａと流出ポート２ｂとの間には、分岐部２ｃが形成されている。この分岐部２ｃの基端は、やや上記流入ポート２ａ側に形成され、流出ポート２ｂ側との間において鋭角を形成している。そして、この分岐部２ｃの基端側は、上記流入ポート２ａから流入した液体が流入するよう中空とされているとともに上記流出ポート２ｂとも連通している。また、この分岐部２ｃの先端は、該分岐部２ｃの内部と連通した開口（符号は省略する。）が形成され、上記蓋体３は、この開口を閉塞している。したがって、上記流入ポート２ａから流入した液体は、上記分岐部２ｃの内部を通過して上記流出ポート２ｂに至る。なお、上記ストレーナ本体２内であって、該ストレーナ本体２から分岐部２ｃに至る部位には、小径部２ｄが形成され、この小径部２ｄの分岐部２ｃ側の面には、後述する濾過エレメント４の一端が挿入される円形状の挿入部２ｅが形成されている。また、上記分岐部２ｃの先端側内周面には、一方のネジ２ｆが螺刻されている。
【００１５】
そして、上記分岐部２ｃ内には、濾過エレメント４が配置されている。この濾過エレメント４は、ステンレススチールからなり多数の小孔４ａが穿設された方形状の薄板の両端側を溶接し円筒状に成形されてなるものである。また、上記蓋体３は、図１又は図２に示すように、上記分岐部２ｃに形成された開口を閉塞する蓋部３ａと、この蓋部３ａの一面から突出してなる円筒状の軸部３ｂと、上記蓋部３ａの外周に形成されてなるフランジ部３ｃと、上記蓋部３ａの他面に形成されてなる回動操作部３ｄとを備えている。この蓋体３は、鉄を鋳型により鋳造した上で切削加工することにより成形したものであり、また、上記フランジ部３ｃの外径は、図１に示すように、上記分岐部２ｃの先端側外径と等しいものとされている。また、上記軸部３ｂは、中央に凹部３ｈが形成されてなるとともに、外周面には、上記分岐部２ｃに螺刻された一方のネジ２ｆに螺着される他方のネジ３ｅが螺刻されている。なお、この軸部３ｂの先端には、上記濾過エレメント４の他端が着脱可能に嵌合する嵌合部３ｆが形成されている。また、図２の（Ｂ）に示すように、上記回動操作部３ｄは、作業者が手指で回動操作可能な大きさの凸部であるとともに、その形状は、図示しないスパナやレンチにより回動操作可能な形状（六角形状）に成形されている。
【００１６】
そして、この実施の形態に係るストレーナ１を構成する蓋体３では、図１に示すように、上記軸部３ｂを取り囲むように、円環状の凹部３ｇが形成されており、この円環状凹部３ｇ内には、Ｏリング５が収容されている。そして、上記円環状の凹部３ｇの深さは、上記Ｏリングの断面の直径よりもやや短いものとされている。なお、上記Ｏリング５は、フッ素ゴムによりリング状に一体成形されている。したがって、図２に（Ａ）として示すように、Ｏリング５の一部は外部に露出しており、図１に示すように、この蓋体３により、上記分岐部３ｃの開口を完全に閉塞した場合には、該Ｏリング５は該分岐部２ｃの先端面２ｇにより弾性変形し、該先端面２ｇに当接・密着する。
【００１７】
以下、上述した実施の形態に係るストレーナ１の濾過エレメント４の交換作業を説明する。先ず、図１に示す状態でストレーナ本体２に取り付けられている蓋体３を取り外す。この場合、作業者が手指で上記回動操作部３ｄを反時計回り方向に回転させる。すると、徐々に蓋体３が濾過エレメント４を保持した状態で螺退し、最終的には完全に取り外される。そして、濾過エレメント４を他の濾過エレメント４と交換し、又はそれまで使用されていた濾過エレメント４に付着した異物を除去した上で再び蓋体３に装着する。すなわち、上記濾過エレメント４の他端を上記嵌合部３ｆに嵌合させる。この状態で、濾過エレメント４の一端側を上記分岐部２ｃの開口から挿入し、蓋体３に形成された上記回動操作部３ｄを手指により把持しながら時計回り方向に回転操作する。すると、徐々に濾過エレメント４の一端は上記挿入部２ｅに近づきやがて該挿入部２ｅ内に収まる。また、上記Ｏリング５は、上述したように、分岐部２ｃの先端面２ｇにより弾性変形し、該先端面２ｇに当接・密着する。
【００１８】
上述した説明からも明らかなように、上記ストレーナ１では、蓋部３ａには、蓋体３を螺進させることにより分岐部２ｃの先端面２ｇに当接するＯリング５が配置されてなることから、特別な工具を使用することなく、作業者が手指のみで蓋体３を螺進させ分岐部２ｃに形成された開口を閉塞した場合であっても、ストレーナ本体２の内部に流入した流体が外部に漏出することがない。したがって、このストレーナ１によれば、作業者が濾過エレメント４を交換する際に、必ず工具を携帯する必要性はなく、極めて簡易且つ迅速に濾過エレメントを交換することが可能となる。また、このストレーナ１では、蓋体３を構成するフランジ部３ｃに形成された円環状の凹部３ｇにＯリング５が収容されてなることから、Ｏリング５を正確に位置決めすることができ、また該Ｏリング５が多少劣化した場合であっても蓋体３から脱落することがなく、シール効果を維持することができる。
【００１９】
なお、上記ストレーナ１では、本発明を構成する濾過エレメント４を円筒状としたが、本発明を構成する濾過エレメントは、液体に含まれた異物を補足することができるものであれば、必ずしも円筒状に限らず他の形状に成形されたものであっても良い。また、上記Ｏリング５は、フッ素ゴムを素材としたが、蓋体３を作業者の手指により回動操作することにより、ストレーナ本体２内の液体が外部に漏出することなくシール可能であれば、他の素材を用いても良い。
【図面の簡単な説明】
【００２０】
【図１】実施の形態に係るストレーナの断面図である。
【図２】（Ａ）は蓋体の側面図、（Ｂ）は蓋体の平面図である。
【符号の説明】
【００２１】
１    ストレーナ
２    ストレーナ本体
２ａ    流入ポート
２ｂ    流出ポート
２ｃ    分岐部
２ｆ    一方のネジ
２ｇ    先端面
３    蓋体
３ａ    蓋部
３ｂ    軸部
３ｃ    フランジ部
３ｄ    回動操作部
３ｅ    他方のネジ
３ｇ    円環状凹部
４    濾過エレメント
５    Ｏリング
【図１】
2007296490.tif 000003
【図２】
2007296490.tif 000004